(57)【要約】【課題】吸込み風路の部品の清掃性を向上することができることを目的とする。【解決手段】整流板４と、整流板４の周囲と一定の間隔を設け覆う上方向の面に位置するフード部２と、油煙を外部に導く排気手段８と、排気手段８と接続しフード部２に設けた排気風路１０と、油等を回収する油捕集手段７とを備え、排気風路１０に油捕集手段７に導くバイパス風路１１とバイパス風路１１に排気風を導く風路切換え手段９とを設け、油捕集手段７に向って空気を噴射する噴射手段を前記フード部２の下面に設けたという構成にしたことにより、油煙の排気風がフード部２と整流板４との間を通過して噴射手段からの空気に油捕集手段７に向けて叩きつけられ排気手段８に流入することとなり、吸込み風路の部品の清掃性を向上することができるレンジフードを得られる。【選択図】図１
2017180849.tif 000002
【特許請求の範囲】
【請求項１】
整流板と、前記整流板の周囲と一定の間隔を設け覆う上方向の面に位置するフード部と、油煙を外部に導く排気手段と、前記排気手段と接続し前記フード部に設けた排気風路と、油等を回収する油捕集手段とを備え、前記排気風路に前記油捕集手段に導くバイパス風路と前記バイパス風路に排気風を導く風路切換え手段とを設け、前記油捕集手段に向って空気を噴射する噴射手段を前記フード部の下面に設けたことを特徴とするレンジフード。
【発明の詳細な説明】
【技術分野】
【０００１】
本発明は、レンジフードに関するものである。
【背景技術】
【０００２】
従来、この種のレンジフードは、油捕集用にフィルターやバッフルを使用されたものが知られている（例えば、特許文献１参照）。
【０００３】
以下、そのレンジフードについて図４を参照しながら説明する。
【０００４】
図４に示すように、コンロ等（図示せず）を使用した際に発生する油を含んだ油煙は、送風手段１０１が駆動することにより整流板１０２に衝突して吸込口１０３より吸い込まれ、油捕集手段であるバッフル機構１０４を通過する。バッフル機構１０４はパンチングフィルター形状のものや波型形状のもの等さまざまな形状のものがあるが、油捕集を満足させるものであればいずれを用いても構わない。そして、バッフル機構１０４で清浄化された空気は、送風手段１０１を経由して排気口１０５から外部へ排出される構成となっている。
【先行技術文献】
【特許文献】
【０００５】
【特許文献１】特開２００７−２４７９２０号公報
【発明の概要】
【発明が解決しようとする課題】
【０００６】
このような従来のレンジフードにおいては、油を捕集する油捕集手段など吸込側に近い部品の清掃を行わなければならず、場合によっては、吸込み風路にあたる多くの部品を清掃しなければならず手間がかかるという課題を有していた。
【０００７】
そこで本発明は、上記従来の課題を解決するものであり、吸込み風路の部品の清掃性を向上することができるレンジフードを提供することを目的とする。
【課題を解決するための手段】
【０００８】
そして、この目的を達成するために、本発明は、整流板と、前記整流板の周囲と一定の間隔を設け覆う上方向の面に位置するフード部と、油煙を外部に導く排気手段と、前記排気手段と接続し前記フード部に設けた排気風路と、油等を回収する油捕集手段とを備え、前記排気風路に前記油捕集手段に導くバイパス風路と前記バイパス風路に排気風を導く風路切換え手段とを設け、前記油捕集手段に向って空気を噴射する噴射手段を前記フード部の下面に設けたものであり、これにより所期の目的を達成するものである。
【発明の効果】
【０００９】
本発明によれば、整流板と、前記整流板の周囲と一定の間隔を設け覆う上方向の面に位置するフード部と、油煙を外部に導く排気手段と、前記排気手段と接続し前記フード部に設けた排気風路と、油等を回収する油捕集手段とを備え、前記排気風路に前記油捕集手段に導くバイパス風路と前記バイパス風路に排気風を導く風路切換え手段とを設け、前記油捕集手段に向って空気を噴射する噴射手段を前記フード部の下面に設けたことにより、油煙の排気風がフード部と整流板との間を通過したときに、排気風路に流入する排気風は風路切換え手段に当たり沿って流れバイパス風路に流れ噴射手段からの空気が油捕集手段に向けて叩きつけ排気手段に流入することとなるので、吸込み風路の部品の清掃性を向上することができるという効果を得ることができる。
【図面の簡単な説明】
【００１０】
【図１】本発明の実施の形態１のレンジフードの構成を示す正面断面図
【図２】同レンジフードの噴射部近傍の断面拡大図
【図３】本発明の実施の形態２のレンジフードの噴射部近傍の断面拡大図
【図４】従来のレンジフードの構造を示す断面図
【発明を実施するための形態】
【００１１】
本発明の請求項１記載のレンジフード部は、油煙または水蒸気を衝突させ回収する取り外し可能な整流板と、前記整流板の周囲と一定の間隔を設け覆う上方向の面に位置するフード部と、油煙を外部に導く排気手段と、前記排気手段と接続し前記フード部に設けた排気風路と、油等を回収する油捕集手段とを備え、前記油捕集手段に向って空気を噴射する噴射手段を前記フード部の下面に設けたという構成を有する。これにより、油煙の排気風がフード部と整流板との間を通過して噴射手段からの空気に油捕集手段に向けて叩きつけられ排気手段に流入することとなるので、吸込み風路の部品の清掃性を向上することができるという効果を奏する。
【００１２】
以下、本発明の実施の形態について図面を参照しながら説明する。
【００１３】
（実施の形態１）
図１、図２に示すように、レンジフードの本体１は、下方に油煙を捕集するフード部２と、油煙が通過する風路を形成するケーシング部３により構成される。なお、本体１は、コンロ（図示せず）の上部に設置されている。
【００１４】
そして、フード部２は、下部の内部に板状の整流板４と、整流板４を固定手段（図示せず）を介して固定する内フード５と、内フード５の略中央には上方のケーシング部３に通じる開口部６を備えた構成としている。なお、内フード５には、整流板４が、内フード５の壁面と一定間隔を有して設けられている。
【００１５】
ケーシング部３は、開口部６に油捕集手段７を設け、上部には排気手段８および風路切換え手段９を備えた構成としている。風路切換え手段９は、排気風路１０とバイパス風路１１との分岐点の下流側に設けられる。なお、上流あるいは下流とは、風の流れに対して決めている。排気風路１０の最下流側はダクト（図示せず）に接続され屋外に通じる風路となる。
【００１６】
排気手段８は送風手段であるファンモーター（図示せず）と羽根（図示せず）とを組み合わせたものであり、排気手段８が動作すると、本体１下部のコンロ（図示せず）等により熱せられた油煙を含む上昇気流は、整流板４に衝突し、整流板４の表面を沿って外側に導かれ、整流板４と内フード５との間の空間より吸い込まれ、油捕集手段７を通過し、排気手段８に導かれる。油捕集手段７では、油煙が油捕集手段７内で衝突や分離を繰り返し油成分が油捕集手段７に付着する。一方、排気手段８に導かれた空気流は、排気手段８の下流側に押し出されることとなる。排気手段８の下流側には、風路切換え手段９としてダンパー１２が設けられており、ダンパー１２の開閉する角度により、排気風路１０のみ、バイパス風路１１のみ、または、排気風路１０とバイパス風路１１との両方に空気流を導くこととなる。
【００１７】
バイパス風路１１は、内フード５と連結されており、バイパス風路１１の最下端には噴射手段１３としての穴２０が設けられており、噴射手段１３として作用する。噴射手段１３は、下方延長上に油捕集手段７となる位置に設置され、排気手段８よりバイパス風路１１に導かれた空気流は噴射手段１３より油捕集手段７に向けて噴射することとなる。このため、コンロ等により熱せられた油煙を含む上昇気流が油捕集手段７を通過するときに噴射手段１３より噴射された空気流と衝突し、油を含む空気の流れは油捕集手段７の上面に向かい、前記空気流と衝突した油煙を含み衝突した油は油捕集手段７に付着する。
【００１８】
風路切換え手段９であるダンパー１２は、風路切換えモーター１４に接続され、風路切換えのモーター１４が駆動することによりダンパー１２が回転動作することとなる。風路切換え用モーターはステッピングモーター（図示せず）またはギアドモーター（図示せず）であり、所定の角度で容易に固定することができる。風路切換え用モーター１４は電気的に制御手段１５と接続されており、制御手段１５の指示により風路切換え用モーター１４は回転動作することとなる。
【００１９】
また、排気手段８は電気的に制御手段１５に接続されており、排気手段８が動作しているときには、制御手段１５より風路切換え用モーター１４に対してバイパス風路１１に空気流が向かうような角度になるよう指示を出し、風路切換え用モーター１４は指示を受けダンパー１２の角度について排気風路１０を塞ぐ角度に回転し、排気手段８を通過した空気流はバイパス風路１１に導かれることとなる。また、排気手段８が停止しているときには、風路切換え手段９はバイパス風路１１を塞ぐ角度に回転し、排気風路１０に連通することができるため、風路切換え手段９の回転停止後には噴射手段１３から油が落ちてくることもなく、バイパス風路１１内に埃等が蓄積することを抑制できる。
【００２０】
また、フード部２の前面の表面には操作部１６が備えられ、操作部１６は電気的に制御手段１５と接続されている。操作部１６は送風量を変更する指示機能を有し、操作部１６より指示された信号は制御手段１５に送られ、電気的に接続された排気手段８に指示し、排気手段８を構成するファンモーターの回転数が変更されて風量が変化することとなる。一方、噴射手段１３より噴射される空気流は油煙を油捕集手段７に叩きつける必要があり、一定の風速が必要となる。つまり、操作部１６により風量が変更されたときにも、バイパス風路１１内に流れる風量は一定量必要となり、全体の送風量（排気風量＋バイパス風量）が少ないときには多くの風量分配し、全体の送風量が多い時には少ない風量分配をバイパス風路１１に流す必要がある。このため、操作部１６から少ない総風量の指示がなされたときには、風路切換え手段９であるダンパー１２の角度は、バイパス風路１１に対しての開口より大きくする。また、操作部１６が大きい総風量の指示がなされたときには、バイパス風路１１に対しての開口を小さくするように制御手段１５より指示が出され、結果、バイパス風路１１を経由した噴射手段１３には、常に一定の風量が供給され、かつ、排気風路１０に向かう排気量も確保できることとなる。
【００２１】
また、運転停止後の一定時間後に風路切換え用モーター１４が駆動し、ダンパー１２を風路切換え手段９の排気風路１０を塞ぐ位置で固定し、バイパス風路１１を開口状態とする。その後、排気手段８であるファンモーターを駆動し、排気手段８より吹き出された空気はすべてバイパス風路１１に向かうこととなり、バイパス風路１１を介して噴射手段１３により油捕集手段７に向かって噴射する。噴射した空気は、再び油捕集手段７を介して排気手段８に吸引されるため循環することとなる。すなわち、循環される空気によって内フード５に付着した油成分が油捕集手段７に導かれることとなる。
【００２２】
よって、吸込み風路の部品の清掃性を向上することができる。
（実施の形態２）
図３において、図１および図２と同様の構成要素については同一の符号を付し、その詳細な説明は省略する。
【００２３】
内フード５の外郭に端部噴射手段１７としての穴を有し、端部噴射手段１７の直下には一定の空間を開けてガイド１８を備えたものである。排気手段８により、バイパス風路１１を介して導かれた空気流は、内フード５と外フード１９の間を通りフード部２の外郭より導かれるが、端部で外フード１９に当たり端部噴射手段１７より噴射され、噴射された空気流はガイド１８に沿って導かれ、内フード５の表面に沿って流れ、排気手段８へと向かうこととなる。
【００２４】
なお、コンロ等により熱せられた油煙を含む上昇気流は、内フード５と整流板４の間を通り油捕集手段７に向かうが、このときに端部噴射手段１７より噴射された空気流は内フード５の表面に沿って流れることとなるため、油煙を含んだ空気は内フード５に触れることなく油捕集手段７に導かれる。つまりは、内フード５の表面には油煙が届かないため表面に油が付くことはなくなることとなる。
【産業上の利用可能性】
【００２５】
油煙の排気風がフード部と整流板との間を通過したときに噴射手段からの空気に油捕集手段に向けて叩きつけられ排気手段に流入し吸込み風路の部品の清掃性を向上する構成により、油煙の汚れを捕集する排気装置等にも有用である。
【符号の説明】
【００２６】
２    フード部
４    整流板
５    内フード
７    油捕集手段
８    排気手段
９    風路切換え手段
１０    排気風路
１１    バイパス風路
１２    ダンパー
１３    噴射手段
１７    端部噴射手段
【図１】
2017180849.tif 000003
【図２】
2017180849.tif 000004
【図３】
2017180849.tif 000005
【図４】
2017180849.tif 000006